(57)【要約】  【課題】  冷蔵庫内を仕切り部材によって上部貯蔵室と下部貯蔵室に区画し、下部貯蔵室内に冷却器を設け、冷却器の上方近傍に送風機を設け、この送風機を仕切り部材内に取り付けたものがあるが、送風機を斜め支持するための取付け部材を冷蔵庫本体に設け、送風機の取付け部を仕切り部材内に設けなくても送風機を取り付け得るようにし、断熱仕切り壁の簡素化と組立てし易い冷蔵庫を提供する。  【解決手段】  外箱と内箱との間に発泡断熱材が充填された前面開口の冷蔵庫本体と、この冷蔵庫本体を上部貯蔵室と下部貯蔵室に上下に仕切る断熱仕切り壁と、下部貯蔵室の後部に配置した冷却器と、この冷却器で冷却した冷気を上部貯蔵室と下部貯蔵室に循環させる送風機とを備え、この送風機を冷蔵庫本体の後壁に取り付けた取付け部材にて断熱仕切り壁の後部に貫通形成した空間に斜め上前方へ冷気を送出する向きに斜め支持する。【選択図】  図５
2006189222.tif 000002
【特許請求の範囲】
【請求項１】
外箱（外壁板）と内箱（内壁板）との間に発泡断熱材が充填された前面開口の冷蔵庫本体と、この冷蔵庫本体を上部貯蔵室と下部貯蔵室に上下に仕切る断熱仕切り壁と、前記下部貯蔵室の後部に配置した冷却器と、この冷却器で冷却した冷気を前記上部貯蔵室と下部貯蔵室に循環させる送風機とを備え、この送風機は、前記冷蔵庫本体の後壁に取り付けた取付け部材にて前記断熱仕切り壁の後部に貫通形成した空間に斜め上前方へ冷気を送出する向きに斜め支持されたことを特徴とする冷蔵庫。
【請求項２】
外箱（外壁板）と内箱（内壁板）との間に発泡断熱材が充填された前面開口の冷蔵庫本体と、この冷蔵庫本体を上部貯蔵室と下部貯蔵室に上下に仕切る断熱仕切り壁と、前記下部貯蔵室の後部に配置した冷却器と、この冷却器で冷却した冷気を前記上部貯蔵室と下部貯蔵室に循環させる送風機とを備え、この送風機は、前記冷蔵庫本体の後壁に取り付けた取付け部材にて前記断熱仕切り壁の後部に貫通形成した空間に斜め上前方へ冷気を送出する向きに斜め支持され、前記冷蔵庫本体の後壁と前記取付け部材との間の空間に前記発泡断熱材の一部が流入して充填されたことを特徴とする冷蔵庫。
【請求項３】
前記取付け部材に設けた左右支え部にて前記送風機の左右両側を支えると共に前記取付け部材に設けた弾性保持片にて前記送風機の上部を着脱自在に保持したことを特徴とする請求項１又は２のいずれかに記載の冷蔵庫。
【請求項４】
前記取付け部材又は前記断熱仕切り壁の下板には、前記送風機の下部を支持する支持部を設けたことを特徴とする請求項１〜３のいずれかに記載の冷蔵庫。
【発明の詳細な説明】
【技術分野】
【０００１】
本発明は、冷蔵庫の冷気循環用送風機の取付け構成に関する。
【背景技術】
【０００２】
冷蔵庫内を仕切り部材によって上部貯蔵室と下部貯蔵室に区画し、下部貯蔵室内に冷却器を設け、冷却器の上方近傍に送風機を設け、この送風機を仕切り部材内に取付け、内箱に仕切り部材を取り付けた状態で、内箱と外箱間に断熱材を発泡充填するものがある。（例えば、特許文献１）。
【０００３】
このものは、送風機と冷却器で冷却器室を構成することなく、送風機の分だけ冷却器室の占有スペースを小さくでき、その分貯蔵室の内容積を大きくすることができること、また送風機の取付けが仕切り部材で行える等の効果がある。
【特許文献１】特開平２００３−１３０５２６号公報
【発明の開示】
【発明が解決しようとする課題】
【０００４】
本発明は、冷蔵庫本体を上部貯蔵室と下部貯蔵室に上下に仕切る断熱仕切り壁の後部に貫通形成した空間を形成し、この空間に送風機を配置することによる効果を得るために、上記のような技術とは異なり、送風機を斜め支持するための取付け部材を冷蔵庫本体に設け、送風機の取付け部を仕切り部材内に設けなくても送風機を取り付け得るようにし、断熱仕切り壁の簡素化と組立てし易い冷蔵庫を提供する。
【課題を解決するための手段】
【０００５】
第１の発明は、外箱（外壁板）と内箱（内壁板）との間に発泡断熱材が充填された前面開口の冷蔵庫本体と、この冷蔵庫本体を上部貯蔵室と下部貯蔵室に上下に仕切る断熱仕切り壁と、前記下部貯蔵室の後部に配置した冷却器と、この冷却器で冷却した冷気を前記上部貯蔵室と下部貯蔵室に循環させる送風機とを備え、この送風機は、前記冷蔵庫本体の後壁に取り付けた取付け部材にて前記断熱仕切り壁の後部に貫通形成した空間に斜め上前方へ冷気を送出する向きに斜め支持されたことを特徴とする。
【０００６】
第２の発明は、外箱（外壁板）と内箱（内壁板）との間に発泡断熱材が充填された前面開口の冷蔵庫本体と、この冷蔵庫本体を上部貯蔵室と下部貯蔵室に上下に仕切る断熱仕切り壁と、前記下部貯蔵室の後部に配置した冷却器と、この冷却器で冷却した冷気を前記上部貯蔵室と下部貯蔵室に循環させる送風機とを備え、この送風機は、前記冷蔵庫本体の後壁に取り付けた取付け部材にて前記断熱仕切り壁の後部に貫通形成した空間に斜め上前方へ冷気を送出する向きに斜め支持され、前記冷蔵庫本体の後壁と前記取付け部材との間の空間に前記発泡断熱材の一部が流入して充填されたことを特徴とする。
【０００７】
第３の発明は、第１又は第２の発明において、前記取付け部材に設けた左右支え部にて前記送風機の左右両側を支えると共に前記取付け部材に設けた弾性保持片にて前記送風機の上部を着脱自在に保持したことを特徴とする。
【０００８】
第４の発明は、第１乃至第３の発明において、前記取付け部材又は前記断熱仕切り壁の下板には、前記送風機の下部を支持する支持部を設けたことを特徴とする。
【発明の効果】
【０００９】
冷蔵庫本体を上部貯蔵室と下部貯蔵室に上下に仕切る断熱仕切り壁の後部に貫通形成した空間を形成し、この空間に送風機を配置することにより、送風機の分だけ冷却器室の占有スペースを小さくして、その分貯蔵室の内容積を大きくできるが、第１の発明は、更に送風機を斜め支持するための取付け部材を冷蔵庫本体に設けることによって、送風機の取付け部を仕切り部材内に設けなくても送風機を取り付け得るようにし、断熱仕切り壁の簡素化と組み立て、取り外しがし易い冷蔵庫が提供可能となる。
【００１０】
第２の発明は、第１の発明の効果に加えて、冷蔵庫本体の後壁に取り付けた取付け部材の裏側にも、外箱（外壁板）と内箱（内壁板）との間に充填される発泡断熱材の一部が流入して充填されることにより、この部分の強度アップと断熱性能のアップを図り、冷蔵庫の良好な冷却性能を維持できる冷蔵庫を提供できる。
【００１１】
第３の発明では、第１の発明又は第２の発明の効果に加えて、取付け部材に設けた左右支え部にて送風機は所定の傾斜状態に保持され、弾性保持片によって送風機の着脱がし易くなるものとなる。
【００１２】
第４の発明では、第１の発明乃至第３の発明の効果に加えて、取付け部材又は断熱仕切り壁の下板に設けた支持部によって送風機の下部を支持することにより、断熱仕切り壁の後部の空間に送風機を安定支持できるものとなる。
【発明を実施するための最良の形態】
【００１３】
本発明は、外箱（外壁板）と内箱（内壁板）との間に発泡断熱材が充填された前面開口の冷蔵庫本体と、この冷蔵庫本体を上部貯蔵室と下部貯蔵室に上下に仕切る断熱仕切り壁と、前記下部貯蔵室の後部に配置した冷却器と、この冷却器で冷却した冷気を前記上部貯蔵室と下部貯蔵室に循環させる送風機とを備え、この送風機は、前記冷蔵庫本体の後壁に取り付けた取付け部材にて前記断熱仕切り壁の後部に貫通形成した空間に斜め上前方へ冷気を送出する向きに斜め支持されたものであり、本発明の実施例を以下に記載する。
【実施例１】
【００１４】
次に、本発明の実施形態について説明する。図１は本発明に係る冷蔵庫の正面斜視図、図２は本発明に係る冷蔵庫の内箱と断熱仕切り壁と送風機の取付け部材の正面斜視図、図３は本発明に係る冷蔵庫の内箱と断熱仕切り壁の正面斜視図、図４は本発明に係る冷蔵庫の断熱仕切り壁を取り付けた発泡組み立て本体の構成を示す正面斜視図、図５は本発明に係る冷蔵庫の縦断側面図である。
【００１５】
実施例１に係る冷蔵庫１は、前面開口の冷蔵庫本体２内を断熱仕切り壁１０によって、冷蔵室である上部貯蔵室３と下部貯蔵室４に上下に仕切っている。これによって、上部貯蔵室３は冷蔵室を構成し、下部貯蔵室は冷凍室を構成している。冷蔵庫本体２は、金属製の外箱（外壁板）２Ａと、真空成形された厚み１．２ｍｍ〜０．８ｍｍの合成樹脂製の内箱（内壁板）２Ｂとの間に、発泡断熱材２Ｃを充填した断熱構造の断熱箱体である。上部貯蔵室３の前面開口は、横方向へ回動されるスウィング式断熱扉５によって開閉される。また下部貯蔵室４の前面開口は、下部貯蔵室４内に設けた左右のレールとローラを含む支持装置６によって前後方向へ引き出し可能に支持した引き出し式扉８にて開閉される。また、支持装置６によって上面開口の容器７が上方へ取り外し可能に支持されて、引き出し式扉８と共に前方へ引き出される仕組みである。
【００１６】
冷蔵庫１は、その上面をテーブル９として使用可能とする大きさであり、略１０００ｍｍ〜１３００ｍｍの高さに冷蔵庫本体２を構成している。このため、冷蔵庫本体２の上面テーブル板９は、冷蔵庫本体２の金属製の外箱（外壁板）２Ａの上面部分を構成するものであり、このテーブル板９の下面と内箱（内壁板）２Ｂとの間には、発泡断熱材２Ｃが充填された構成である。
【００１７】
下部貯蔵室４の後部には、冷蔵庫本体２の後壁２Ｄとの間に断熱区画壁１１によって区画された冷却器室１２が形成され、冷却器室１２内には冷却器１３が設置されている。これによって、断熱区画壁１１の前方部に冷凍室４が形成される。冷凍室４には、容器７の左右側壁上端部に補助容器７Ａが載置され、また、補助容器７Ａの上方には、冷凍室４の左右側壁に形成した前後方向のレールに前後引き出し自在に第３の容器７Ｂが載置されている。
【００１８】
断熱仕切り壁１０は、インジェクション成形の合成樹脂製上板１４とインジェクション成形の合成樹脂製下板１５との間に、予め所定形状に成形された発泡スチロール等の断熱材１６が挟持された断熱構造をなしている。このような断熱仕切り壁１０は、冷蔵庫本体２の内箱（内壁板）２Ｂの左右側壁に前後方向に形成した溝１７と、内箱（内壁板）２Ｂの後壁に形成した前面開口の溝１８に冷蔵庫本体２の前面開口部から挿入されて取り付けられる構成である。
【００１９】
冷却器１３で冷却した冷気を上部貯蔵室３と下部貯蔵室４に循環させるよう、断熱仕切り壁１０の後部を上下に貫通形成した冷気通路となる空間１９に送風機２０が配置されている。送風機２０は、プロペラファン２２とこれを回転する電動機２１がケーシング２３に取り付けられた軸流ファンである。送風機２０は、断熱仕切り壁１０の空間１９に斜め上前方へ冷気を送出するように、合成樹脂製の取付け部材２５によって斜め支持状態に取り付けられている。取付け部材２５の上部の固定部２５Ｂは、上部貯蔵室３の下部に対応した内箱（内壁板）２Ｂの後壁に形成した窪み２４に嵌って位置決めされた状態で、上部をネジやプッシュ式プラスチック止め具等の止め具２６によって、内箱（内壁板）２Ｂに取り付けられている。
【００２０】
取付け部材２５は、上部の固定部から斜め下前方へ傾斜して張り出し、その左右中間部に送風機２０の取付け部２５Ａが形成され、この取付け部２５Ａには上部の左右に弾性保持片２７を一体形成し、更に左右両側には斜め下前方へ傾斜した支え部２９を一体形成している。取付け部材２５の下部の固定部２５Ｂは、断熱仕切り壁１０の後端部と共に内箱（内壁板）２Ｂの後壁に形成した前面開口の溝１８に嵌りこんで、断熱仕切り壁１０の後端部によって押された状態で保持された状態である。
【００２１】
また、取付け部材２５は、送風機２０の取付け部２５Ａの左右両側に支え部２９の外側で前方へ膨らんだ壁部２８を形成しており、この左右両側の膨らんだ壁部２８は、取付け部２５Ａに送風機２０を取り付けた状態で、ケーシング２３の左右両側が当接又は近接する。送風機２０は、左右両側の支え部２９と上部の弾性保持片２７によって、ケーシング２３を所定位置に保持するようにしてもよいが、送風機２０の下部を支える支持部３０を取付け部材２５に形成してもよい。また、図のように、この支持部３０を断熱仕切り壁１０の下板１５に形成することもできる。このようにして、送風機２０は断熱仕切り壁１０の空間１９に合成樹脂製の取付け部材２５によって斜め支持状態に取り付けられている。
【００２２】
冷蔵庫本体２を構成するために、外箱（外壁板）２Ａと内箱（内壁板）２Ｂが組み合わされる。この組み合わせた内箱（内壁板）２Ｂの後壁の前面には、この組み合わせの前に送風機２０の取付け部材２５が止め具２６によって取り付けられる。そして、内箱（内壁板）２Ｂの左右側壁と背壁に形成した溝１７、１８に断熱仕切り壁１０を前面から挿入し、所定の挿入位置でネジＮ１によって断熱仕切り壁１０を内箱（内壁板）２Ｂの側壁に取り付ける。取付け部材２５の下部の固定部は、断熱仕切り壁１０の後端部によって押された状態で溝１８内に保持される。この状態で、内箱（内壁板）２Ｂの後壁と取付け部材２５との間には、略密閉された空間３１が形成される。
【００２３】
このようにして構成された発泡組み立て本体２００は、その前面開口を下にした状態で、外箱（外壁板）２Ａの後壁に形成した注入孔から、発泡断熱材２Ｃの原液を発泡機のノズルによって注入する。この注入によって、外箱（外壁板）２Ａと内箱（内壁板）２Ｂとの間に発泡断熱材２Ｃが成長して充填される。一方、内箱（内壁板）２Ｂの後壁と取付け部材２５との間に形成された空間３１に対向して、内箱（内壁板）２Ｂの後壁には発泡断熱材２Ｃが流通する円形孔の流通部６４が形成されており、この発泡断熱材２Ｃが成長して充填される過程において、この発泡断熱材２Ｃの一部が流通部６４から空間３１に流出して、この空間３１に充填される。これによって、取付け部材２５は充填された発泡断熱材２Ｃの一部によって補強され、且つ断熱されるため、強度的に向上すると共に、この部分の断熱性能が向上する。
【００２４】
このようにして構成された冷蔵庫本体２の後壁の前面に取り付けた取付け部材２５に対して、送風機２０を取付け部材２５の取付け部２５Ａに取り付ける。送風機２０の取付けは、ケーシング２３の周辺部に設けたシール材を介して、ケーシング２３の左右両側を支え部２９に載せ、下部は断熱仕切り壁１０の下板１５等に当接状態で支持部３０によって支え、上部を弾性保持片２７によって支持する。これによって、送風機２０は、断熱仕切り壁１０の空間１９に合成樹脂製の取付け部材２５によって所定の角度で斜め支持状態に保持されると共に、周辺部が前記シール材によって冷気漏れがない状態で、弾性保持片２７によって送風機２０の着脱自在の状態に保持される。
【００２５】
なお、発泡組み立て本体２００に発泡断熱材２Ｃを充填する前に、送風機２０を取付け部材２５に取付ける方法でもよい。即ち、取付け部材２５と断熱仕切り壁１０を内箱（内壁板）２Ｂに取付けた状態で、送風機２０を取付け部材２５によって取付け、その状態で外箱（外壁板）２Ａと内箱（内壁板）２Ｂを組み合わせて発泡組み立て本体２００を構成し、この発泡組み立て本体２００に発泡断熱材２Ｃを充填する工程とすることができる。
【００２６】
このようにして送風機２０を取り付けた状態で、上部貯蔵室３の後部には、冷蔵庫本体２の後壁との間に上部貯蔵室３への冷気分配通路３３を形成する背壁部材３２が、冷蔵庫本体２に取り付けられている。背壁部材３２は、合成樹脂製の前面板３２Ａとその裏側の断熱材３２Ｂとの組み合わせである。背壁部材３２を取り外せば、弾性保持片２７の弾性を利用して送風機２０を前方へ取り外し可能であり、また前方から取付け可能となる。送風機２０への給電線の配線は、背壁部材３２の取付け前に行う。
【００２７】
冷却器１３によって冷却された冷気は、送風機２０によって矢印のように上部貯蔵室３と下部貯蔵室４とに循環して冷却する。即ち、送風機２０から冷気分配通路３３へ送出された冷気は、冷気分配通路３３に対応して背壁部材３２に形成した冷気吐出口から上部貯蔵室３へ流入して上部貯蔵室３を冷却した後、帰還路（図示せず）を通って冷却器室１２の下部へ入り、ここで再び冷却器１３によって冷却される循環をする。また、送風機２０から下部貯蔵室４の上部へ流入した冷気は、下部貯蔵室４を冷却した後、断熱区画壁１１の下端部から冷却器室１２の下部へ入り、ここで再び冷却器１３によって冷却される循環をする。上部貯蔵室３は冷蔵室であり、上部貯蔵室３の温度を温度センサで感知して制御回路部によって、冷凍サイクルの冷媒の圧縮機３５をＯＮ−ＯＦＦ制御する。冷却器１３は圧縮機３５と共に冷凍サイクルを構成する。３６は冷却器１３の霜取り用電気ヒータ、３７は扉５を開いたとき点灯し、扉５を閉じたとき消灯する庫内灯である。
【産業上の利用可能性】
【００２８】
本発明の冷蔵庫は、冷凍冷蔵庫の呼称されるものもあるが、本発明の技術的範囲を逸脱しない限り種々の形態の冷蔵庫に摘要できるものであり、上部貯蔵室と下部貯蔵室が実施例の形態に限らず、冷蔵室、冷凍室、野菜室、その他の用途室の組み合わせであっても、何ら差し支えない。
【図面の簡単な説明】
【００２９】
【図１】本発明に係る冷蔵庫の正面斜視図である。（実施例１）
【図２】本発明に係る冷蔵庫の内箱と断熱仕切り壁と送風機の取付け部材の正面斜視図である。（実施例１）
【図３】本発明に係る冷蔵庫の内箱と断熱仕切り壁の正面斜視図である。（実施例１）
【図４】本発明に係る冷蔵庫の断熱仕切り壁を取り付けた発泡組み立て本体の構成を示す正面斜視図である。（実施例１）
【図５】本発明に係る冷蔵庫の縦断側面図である。（実施例１）
【符号の説明】
【００３０】
１・・・・冷蔵庫
２・・・・冷蔵庫本体
２Ａ・・・外箱（外壁板）
２Ｂ・・・内箱（内壁板）
２Ｃ・・・発泡断熱材
３・・・・上部貯蔵室
４・・・・下部貯蔵室
５・・・・上部貯蔵室扉
６・・・・支持装置
５・・・・上部貯蔵室扉
７・・・・容器
８・・・・下部貯蔵室扉
９・・・・テーブル
１０・・・断熱仕切り壁
１１・・・断熱区画壁
１２・・・冷却器室
１３・・・冷却器
１４・・・断熱仕切り壁の上板
１５・・・断熱仕切り壁の下板
１６・・・断熱材
１７、１８・・・内箱（内壁板）の溝
１９・・・空間
２０・・・送風機
２１・・・電動機
２２・・・プロペラファン
２３・・・ケーシング
２４・・・窪み
２５・・・送風機の取付け部材
２６・・・止め具
２７・・・弾性保持片
２９・・・送風機の支え部
３０・・・支え部
３１・・・空間
３２・・・背壁部材
３３・・・冷気分配通路
６４・・・発泡断熱材の流出部
【図１】
2006189222.tif 000003
【図２】
2006189222.tif 000004
【図３】
2006189222.tif 000005
【図４】
2006189222.tif 000006
【図５】
2006189222.tif 000007